(57)【要約】【課題】  複数のアプリケーションを起動させて表示させる場合の問題を解決する。【解決手段】  所定のアプリケーションプログラムに基づいてデータを受信する受信処理と、その受信処理で受信したデータを、起動中のアプリケーションプログラムにより処理して表示させるアプリケーションプログラム実行処理とを携帯端末で行う場合に、アプリケーションプログラム実行処理として、第１及び第２のアプリケーションプログラムの２種類のアプリケーションプログラムが同時に起動された状態で、第２のアプリケーションプログラムに基づいて特定のデータを受信した場合に、第１のアプリケーションプログラムの実行による表示と、第２のアプリケーションプログラムの実行による表示とを、所定の表示態様に設定させるようにした。【選択図】    図３
2006115213.tif 000002
【特許請求の範囲】
【請求項１】
所定のアプリケーションプログラムに基づいてデータを受信する受信部と、
前記受信部で受信したデータを、表示させる表示部と、
前記受信部で受信したデータを、起動中のアプリケーションプログラムにより処理し、前記表示部での表示を制御するアプリケーションプログラム実行部とを備え、
前記アプリケーションプログラム実行部は、第１及び第２のアプリケーションプログラムの２種類のアプリケーションプログラムが同時に起動された状態で、第２のアプリケーションプログラムに基づいて特定のデータを受信した場合に、前記表示部での第１のアプリケーションプログラムの実行による表示と、前記表示部での第２のアプリケーションプログラムの実行による表示とを、所定の表示態様に設定させることを特徴とする
携帯端末装置。
【請求項２】
請求項１記載の携帯端末装置において、
前記所定の表示態様は、第１のアプリケーションプログラムに基づいて受信したデータによる表示が行われ、第２のアプリケーションプログラムに基づいて受信したデータによる表示が行われていない状態から、第１のアプリケーションプログラムに基づいて受信したデータによる表示と、第２のアプリケーションプログラムに基づいて受信したデータによる表示とが、前記表示部の画面を分割して行われる表示態様への変化であることを特徴とする
携帯端末装置。
【請求項３】
請求項２記載の携帯端末装置において、
前記表示部の画面を分割して行われる２つの表示の大きさは、前記特定のデータにより設定されることを特徴とする
携帯端末装置。
【請求項４】
請求項２記載の携帯端末装置において、
前記特定のデータによる指示で、前記表示部の画面を分割して２つの表示が行われた表示態様を開始させてから所定時間後に、第１のアプリケーションプログラムに基づいて受信したデータによる表示が行われ、第２のアプリケーションプログラムに基づいて受信したデータによる表示が行われていない表示状態に戻すことを特徴とする
携帯端末装置。
【請求項５】
所定のアプリケーションプログラムに基づいてデータを受信する受信処理と、
前記受信処理で受信したデータを、起動中のアプリケーションプログラムにより処理して表示させるアプリケーションプログラム実行処理とを行う携帯端末の表示方法であり、
前記アプリケーションプログラム実行処理は、第１及び第２のアプリケーションプログラムの２種類のアプリケーションプログラムが同時に起動された状態で、第２のアプリケーションプログラムに基づいて特定のデータを受信した場合に、第１のアプリケーションプログラムの実行による表示と、第２のアプリケーションプログラムの実行による表示とを、所定の表示態様に設定させることを特徴とする
携帯端末の表示方法。
【請求項６】
請求項５記載の携帯端末の表示方法において、
前記所定の表示態様は、第１のアプリケーションプログラムに基づいて受信したデータによる表示が行われ、第２のアプリケーションプログラムに基づいて受信したデータによる表示が行われていない状態から、第１のアプリケーションプログラムに基づいて受信したデータによる表示と、第２のアプリケーションプログラムに基づいて受信したデータによる表示とが、表示画面を分割して行われる表示態様への変化であることを特徴とする
携帯端末の表示方法。
【請求項７】
請求項６記載の携帯端末の表示方法において、
前記表示画面を分割して行われる２つの表示の大きさは、前記特定のデータにより設定されることを特徴とする
携帯端末の表示方法。
【請求項８】
請求項６記載の携帯端末の表示方法において、
前記特定のデータによる指示で、前記表示画面を分割して２つの表示が行われた表示態様を開始させてから所定時間後に、第１のアプリケーションプログラムに基づいて受信したデータによる表示が行われ、第２のアプリケーションプログラムに基づいて受信したデータによる表示が行われていない表示状態に戻すことを特徴とする
携帯端末の表示方法。
【発明の詳細な説明】
【技術分野】
【０００１】
本発明は、携帯電話端末等の携帯端末装置及びその携帯端末装置を使用した表示方法に関し、特に、携帯端末装置にコンテンツを表示させる技術に関する。
【背景技術】
【０００２】
近年、携帯電話端末等の携帯端末の発展に伴い、従来からある通話用の送受話機能、電子メールの送受信機能、インターネットの接続機能等に加え、テレビジョン（以下、テレビと呼ぶ）放送受信用チューナを内蔵することで、テレビ放送を視聴できる機能を備えた携帯電話端末が実用化されている。テレビ受信機能を内蔵した端末の場合には、放送受信用チューナを内蔵する。
【０００３】
上述した各種機能は、予め携帯電話端末の内蔵メモリに記憶させたアプリケーションプログラム（以下、アプリケーションと呼ぶ）に基づいた制御や処理により実現される。アプリケーションは、それぞれ独自の機能を有しており、単独又は連動して使用されるものである。例えば、電話機としての通話処理に加えて、ゲームを行って画面に表示したり、カメラとして使用したり、音楽出力を行うなどといった様々な処理が可能である。例えば表示に関連したアプリケーションの場合には、携帯電話端末の選択／決定ボタン等のユーザ操作で入力された指令に基づいて、対応するアプリケーションがメモリから読み出され、端末に内蔵された各種デバイスの制御を行うＣＰＵ（Central Processing Unit）で解釈され、実行されることで端末の表示部にコンテンツが表示される。
【０００４】
携帯電話端末で、表示に関係したアプリケーションを実行する場合には、２つのアプリケーションを同時に実行して、その２つのアプリケーションに基づいた表示を、同時に行う場合がある。２つのアプリケーションに基づいた表示を、同時に行う例としては、例えば、Ｗｅｂブラウザとメーラを起動させた例がある。インターネットに接続し、ホームページ等の内容を表示させるアプリケーションとしてＷｅｂブラウザがある。Ｗｅｂブラウザを用いて特定のＵＲＬ（Uniform Resource Locator）を指定したり、あるいは検索エンジン等を利用することで、目的のリソースにインターネット接続し内容を知ることができる。また、電子メールを送受信するためのアプリケーションとしてメーラがある。メーラを用いることで、送信者、受信者が互いのメールアドレスを指定し、電子メールを送受信できる。
【０００５】
これら二つのアプリケーションが、同時に起動され、それぞれのコンテンツが１つの画面中に同時に表示されることで、例えば、メーラで内容を表示した電子メールを見ながら、Ｗｅｂブラウザを用いて、インターネット接続を楽しむという操作が行われる。
【０００６】
これまで、複数のアプリケーションを同時に起動させてそれぞれのコンテンツの表示を行う際には、重要性が低いコンテンツはバックグラウンド（画面表示なし）に待機させ、重要性が高いコンテンツはフォアグラウンド（全画面）に表示させ必要に応じて画面を切替える場合と、常に複数のアプリケーションを同時に画面表示させる場合とがあった。
【０００７】
コンテンツ毎に一つの画面を切替える場合、画面が明示的に切り替わるため、画面に表示されるのは単一のコンテンツであった。このため、他のアプリケーションに特別なイベントが発生すればそのアプリケーションによるコンテンツを表示させるよう画面遷移するため、ユーザはそのコンテンツを見逃すことがなかった。一方、常に複数のアプリケーションを同時に画面表示させる場合、その複数のアプリケーション間でコンテンツが連動してもいなくても明示的に表示されるので、ユーザはコンテンツの変化を見逃すことはなかった。
【０００８】
特許文献１には、主表示部と副表示部の２種類の表示画面を用いて、それぞれの表示画面に対して複数のアプリケーションを同時に処理し、コンテンツを表示させることが可能である携帯電話端末について記載してある。
【特許文献１】特開２００３−２０４３７８号公報（図２）
【発明の開示】
【発明が解決しようとする課題】
【０００９】
ところが、一方のコンテンツをバックグラウンドに待機させて画面表示なしとし、他方のコンテンツをフォアグラウンドに表示させるようにすると、一方のコンテンツの状態が判らず、不便である問題がある。また、常に複数のアプリケーションを同時に画面表示させる場合には、１つの画面中に２つのコンテンツが同時表示されることになるので、各コンテンツの表示が見難くなってしまう問題がある。
【００１０】
特に、携帯電話端末は画面サイズが小さいため、一方のコンテンツをバックグラウンドに待機させた画面より、各コンテンツの画面サイズが非常に小さくなってしまい、画面のスクロール動作が必要になったり、文字フォントあるいは画像が小さくなることで視認性が悪くなってしまう。
【００１１】
本発明はこのような状況に鑑みて成されたものであり、複数のアプリケーションを起動させて表示させる場合の問題を解決することを目的とする。
【課題を解決するための手段】
【００１２】
本発明は、所定のアプリケーションプログラムに基づいてデータを受信する受信処理と、その受信処理で受信したデータを、起動中のアプリケーションプログラムにより処理して表示させるアプリケーションプログラム実行処理とを携帯端末で行う場合に、アプリケーションプログラム実行処理として、第１及び第２のアプリケーションプログラムの２種類のアプリケーションプログラムが同時に起動された状態で、第２のアプリケーションプログラムに基づいて特定のデータを受信した場合に、第１のアプリケーションプログラムの実行による表示と、第２のアプリケーションプログラムの実行による表示とを、所定の表示態様に設定させるようにしたものである。
【００１３】
このようにしたことで、特定のデータの受信で、２つのアプリケーションプログラムに基づいて受信したデータによる表示態様を変化させることができ、データの受信状態に応じた適切な表示が可能になる。
【発明の効果】
【００１４】
本発明によれば、携帯端末における表示として、同時に起動している２つのアプリケーションプログラムの実行による表示態様が、受信した特定のデータによって変化するので、そのときの状況に応じた表示態様の設定が可能になり、例えば２つのアプリケーション間で連動したことが明示的に分かると表示が行えるという効果がある。
【００１５】
この場合、所定の表示態様は、第１のアプリケーションプログラムに基づいて受信したデータによる表示が行われ、第２のアプリケーションプログラムに基づいて受信したデータによる表示が行われていない状態から、第１のアプリケーションプログラムに基づいて受信したデータによる表示と、第２のアプリケーションプログラムに基づいて受信したデータによる表示とが、表示画面を分割して行われる表示態様への変化であることで、表示画面を分割した状態への切替えが良好に行えるようになる。
【００１６】
また、このように分割表示させる場合に、表示画面を分割して行われる２つの表示の大きさは、特定のデータにより設定されるようにしたことで、そのときに表示させるデータなどに応じて、表示領域の設定を適切に行うことが可能になる。
【００１７】
さらに、上述したように分割表示させる場合に、特定のデータによる指示で、表示画面を分割して２つの表示が行われた表示態様を開始させてから所定時間後に、第１のアプリケーションプログラムに基づいて受信したデータによる表示が行われ、第２のアプリケーションプログラムに基づいて受信したデータによる表示が行われていない表示状態に戻すことで、そのときに表示させるデータの重要度などに応じて、表示時間の設定を適切に行うことが可能になる。
【発明を実施するための最良の形態】
【００１８】
以下、本発明の一実施の形態を、添付図面を参照して説明する。本実施の形態では、通話用の送受話機能、電子メール機能、インターネット接続機能等に加え、テレビ放送の受信機能を備えた携帯端末装置に適用した例としてある。ここでは、携帯端末装置としてデジタルセルラ方式の携帯電話端末に適用した例について説明する。
【００１９】
まず、本例の携帯電話端末の外観形状の例について説明する。図１は、本例の携帯電話端末１００の外観形状の例を示した図である。携帯電話端末１００は、上部筐体５と下部筐体７をヒンジ部６を支点として折りたたみ可能に接続させた構成としてある。なお、図１では開いた状態として示してある。図１では、折りたたんだ際に、対向する内側の面を示してある。
【００２０】
上部筐体５には、通話時における通信相手の音声や着信メロディ等の音声出力を行うスピーカ１と、液晶ディスプレイパネル等を用いて文字や数字、記号、アイコン、カーソル、静止画像、動画像等を表示する表示部２が設置してある。本例の携帯電話端末１００では、表示部２を任意の大きさに二分割して、それぞれの表示画面に異なるコンテンツを表示させること（マルチ・ウィンドウ表示）が可能である。また、下部筐体７には、１，２…９，０の数字及び＃、＊の記号のダイヤルキー、各種ファンクションキー、カーソル操作等を行う方向指示キー、操作を確定させるエンターキー等のキーが配置された入力手段として用いられるキー操作部３と、音声入力を行うマイクロフォン４が設けてある。方向指示キーとエンターキーとしては、回転操作と押し下げ操作とが行えるジョグダイヤルを使用してもよい。
【００２１】
表示部２の上部にある携帯電話端末１００の各種状態アイコンを表示するピクト表示領域２０には、電池残量を示す電池アイコン２１と、電波の受信レベルを示すアンテナアイコン２２が表示される領域が用意されている。そして携帯電話端末１００の表示部２として、上下２画面で異なるアプリケーションによる画像を分割表示することができる構成としてある。具体的には、例えば図１に示すように、表示部２の表示範囲を上下に２分割した第１表示領域２３と、第２表示領域２５とで、それぞれ異なるアプリケーションの画像が表示できるようにしてある。各表示領域２３，２５での表示状態の詳細については後述する。また、表示部２の下部には、左操作する左操作アイコン２７と、右操作する右操作アイコン２８がありコンテンツの項目を指定したり、画面移動等が可能である。
【００２２】
なお、本例では折りたたみ型の携帯電話端末を用いて説明したが、ストレート型、リボルバー型等のその他の各種形状として構成してもよい。
【００２３】
次に、携帯電話端末１００の内部構成例を図２のブロック図を参照して説明する。
【００２４】
まず携帯電話端末１００の音声通話時の受信系について説明すると、アンテナ１１が送受信部１２に接続してあり、図示していない外部の基地局から所定の通信方式で送信される信号を送受信部１２で受信する。送受信部１２で受信及び送信を行う無線通信方式としては、例えばＣＤＭＡ（Code Division Multiple Access：符合分割多重接続）方式が適用される。
【００２５】
送受信部１２で受信され復調された受信信号は、データ処理部１３に供給され、受信パケットが抽出されて、そのパケットから音声データ、制御データなどの必要なデータが取り出される。取り出された音声データは、音声処理部１４に供給されて、デジタルデータからアナログ音声信号への変換、増幅などの音声処理が行われ、スピーカ１に供給されることで通話相手の音声が出力される。
【００２６】
音声通話時の送信系について説明すると、マイクロフォン４から供給される音声信号は、音声処理部１４でデジタル音声データに変換され、変換された音声データは、データ処理部１３に供給されて、音声データが送信パケット内に配置される。送信パケットには、制御データなどのその他のデータについても配置される。データ処理部１３で生成された送信パケットは、送受信部１２に供給されて、所定の変調処理が行われた後、所定の送信周波数の送信信号に周波数変換され、その周波数変換された送信信号がアンテナ１１から無線送信される。これらの受信処理及び送信処理は、この携帯電話端末１００のＣＰＵ（Central Processing Unit）１７の制御で実行され、表示部２で必要な表示が行われる。ＣＰＵ１７での制御に必要なプログラムは、メモリ１８に記憶させてある。
【００２７】
また、本例の携帯電話端末１００で、電子メールの送受信やインターネットへのアクセスなどを行うために、データ受信及びデータ送信を行う際には、ＣＰＵ１７の制御で、データ処理部１３で受信パケットから必要なデータの抽出及び送信パケットへの必要なデータの配置が行われる。受信したデータの処理や送信するデータの処理については、メモリ１８に記憶された各機能用のアプリケーションをＣＰＵ１７が実行することで実現される。
【００２８】
例えば、電子メールの送受信を行う場合には、ＣＰＵ１７での制御に基づいて電子メールデータの受信又は送信が行われ、受信した電子メールデータによる表示部２での表示や、送信される電子メールのキー操作部３での入力処理は、メモリ１８に記憶されたメール用のアプリケーションを、ＣＰＵ１７が実行することで実現される。Ｗｅｂブラウザを用いてインターネットにアクセスする際にも、メモリ１８に記憶されたメール用のアプリケーションを、ＣＰＵ１７が実行することで実現され、ダウンロードされた画像の表示などが表示部２で行われる。ＣＰＵ１７と各部との間は、システムバス１９を介して制御データなどのやり取りを行う構成としてある。
【００２９】
次に、本例の携帯電話端末１００が備えるテレビ放送を受信する機能について説明すると、端末１００にはテレビアンテナ１５が内蔵又は外付けされ、そのテレビアンテナ１５が接続されるテレビチューナ１６を備える。本例のテレビチューナ１６は、地上波のデジタル放送信号を受信することができるテレビチューナとして構成される。テレビチューナ１６での受信処理については、ＣＰＵ１７の制御で実行され、受信した放送信号より得た映像信号による表示が表示部２で行われ、受信した放送信号より得た音声信号の出力がスピーカ１（又は図示しないイヤホン）から行われる。
【００３０】
テレビチューナ１６では、テレビ放送のメインのコンテンツデータである番組の映像信号や音声信号の受信だけでなく、各種付随データについても受信するようにしてある。例えば、番組表などを表示させるためのＥＰＧデータ（Electronic Program Guide：電子番組案内情報）も受信するようにしてある。受信したＥＰＧデータに基づいた番組表などの表示処理については、メモリ１８に記憶されたテレビ放送受信用のアプリケーションを、ＣＰＵ１７が実行することで実現される。
【００３１】
なお、本例の携帯電話端末１００は、ＣＰＵ１７の制御で複数のアプリケーションの内の少なくとも２つを同時に実行できるようにしてある。即ち、メモリ１８に記憶された複数のアプリケーションプログラムの内の、ユーザによるキー操作などで選択された少なくとも２つのアプリケーションをＣＰＵ１７が同時に実行して、それぞれの処理に基づいた表示などが行えるようにしてある。
【００３２】
２つのアプリケーションを同時に起動させた状態での表示部２での表示としては、例えば、何れか一方のアプリケーションによる実行画面を、表示部２の画面のほぼ全体を使用した全画面表示として行い、他方のアプリケーションによる実行画面を、バックグラウンドに待機させて、表示させない状態として、何らかの操作があったとき、表示させるアプリケーション画面とバックグラウンドに待機させるアプリケーション画面とを切替えさせる。或いは、一方のアプリケーションによる実行画面と、他方のアプリケーションによる実行画面とを、表示部２の画面を分割して同時に行うことも可能としてある。例えば、電子メール用のアプリケーションと、テレビ放送受信用のアプリケーションとを同時に処理して、表示部２の表示領域２５（図１）に受信した電子メールを表示させ、表示部２の表示領域２３（図１）に受信したテレビ放送番組を表示させることができるようにしてある。或いは、インターネットへの接続を行うアプリケーションと、テレビ放送受信用のアプリケーションとを同時に処理して、表示領域２３及び２５に分割表示させることもできる。これらの表示状態（表示態様）は、ＣＰＵ１７の制御で設定される。なお、以下に全画面表示や分割表示と述べた際には、図１の表示例に示すように、ピクト表示領域２０などの端末として常時表示させることが必要な領域を除いた表示範囲を使用した、全画面表示又は分割表示である。但し、ピクト表示領域２０などでの表示がない状態で、完全な全画面表示又は分割表示を行ってもよい。
【００３３】
次に、本例の携帯電話端末１００で２つの異なるアプリケーションを同時に起動し、それぞれのアプリケーションを同時表示させる場合の処理例について説明する。ここでは、Ｗｅｂコンテンツを受信するアプリケーションと、テレビ放送を受信するアプリケーションとを同時に起動させた例としてあり、Ｗｅｂコンテンツを受信するアプリケーションを、バックグラウンドに待機させた状態としてあり、テレビ番組を受信するアプリケーションの処理で、テレビチューナ１６でその番組が放送されるチャンネルを受信させて、表示部２全体に受信した映像の表示を行い、受信した音声の出力が行われている状態が設定されているとする。そしてこの状態で、Ｗｅｂコンテンツを受信するアプリケーションで、アプリケーション連動ソースのリンクデータを受信した際には、表示部２の第１表示領域２３にテレビ番組の映像を表示させると共に、表示部２の第２表示領域２５に受信したＷｅｂコンテンツの映像を表示させるよう同時に表示させる処理を行うようにしてある。
【００３４】
このように表示態様を変化させる処理を、図３のフローチャートに従って処理を説明すると、まず、Ｗｅｂコンテンツを受信するアプリケーションが、表示態様を変更させるための特定データである、アプリケーション連動ソースを受信したとする（ステップＳＴ４１）。
【００３５】
ここで、複数のアプリケーションを同時に画面表示させるためのアプリケーション連動ソースについて説明を行う。図４は、アプリケーション連動を行うリンクデータの構成の一例を示した図である。このアプリケーション連動ソースには、「フォアグラウンドのアプリケーション（本例では、テレビ放送を受信するアプリケーション）と連動する」という意味の記述がされている。この記述により、端末で全画面表示しているアプリケーションがテレビ放送受信用のアプリケーションである場合に、そのテレビ放送受信用のアプリケーションによるテレビ画面のサイズを縮小し、Ｗｅｂコンテンツを受信するアプリケーションを表示させることで、複数のアプリケーションを同時に画面表示させることが可能となる。このリンクデータは、例えば、ＨＴＭＬ（Hyper Text Markup Language）のようなマークアップ言語で構成され、リンク設定のタグと、連動コンテンツを指定するコンテンツ名称ｄ１などで構成される。なお、図４に示した記述例は、リンクデータの説明のために簡略化して示したものであり、実際の構成とは異なる。
【００３６】
図３のフローチャートの説明に戻ると、次にＣＰＵ１７は、ステップＳＴ４１で受信したリンクデータの内容を判断する（ステップＳＴ４２）。ここでは、リンクデータで全画面表示から分割表示に表示態様を変化させることを判断する。この判断で、ＣＰＵ１７が、表示部２の第１表示領域２３及び第２表示領域２５を２画面で表示させる際に事前設定してある画面サイズや表示時間等の情報をメモリ１８より取得する。
【００３７】
そして、ＣＰＵ１７の処理により、全画面表示させているアプリケーションの画面サイズを表示部２の上半分（第１表示領域２３）に変更する（ステップＳＴ４３）。その後、バックグラウンドで待機していたアプリケーションの画面サイズを表示部２の下半分（第２表示領域２５）に表示させて２画面のマルチウィンドウ表示とし（ステップＳＴ４４）、本例の２画面表示切替え処理を終了する。
【００３８】
ここで、本例の携帯電話端末１００における全画面表示から画面を分割して２画面表示へ遷移させる際の画面の遷移例を図５を参照して説明する。図５（ａ）は遷移前画面の表示例、図５（ｂ）は遷移後画面の表示例を示す。
【００３９】
図５の例では、同時に起動されている２つのアプリケーションの内の一方のアプリケーションは、デジタルテレビ視聴アプリケーションであり、野球中継番組が表示されているとする。始めに図５（ａ）で示すように野球中継番組が表示部２の全画面表示領域２４に表示されている。そして、他方のアプリケーションは、Ｗｅｂアプリケーションであり、「打者情報」タイトルのＷｅｂコンテンツが起動されているとする。このアプリケーションは、バックグラウンドで起動されているため、図５（ａ）では、表示部２に表示されていない。
【００４０】
この野球番組が全画面表示された状態において、番組の場面が転換した場合（例えば、打者が交代したとする）には、その打者に関する名前、打率、本塁打、打点等の情報がＷｅｂコンテンツの「打者情報」として、バックグラウンドで起動しているＷｅｂアプリケーションにより受信されるものとする。Ｗｅｂアプリケーションが、このＷｅｂコンテンツの「打者情報」を受信した際に、ＣＰＵ１７は、アプリケーション連動させるように記述されたリンクデータをＷｅｂコンテンツのソースに含むかどうかを判断し、アプリケーション連動ソースを含む場合は、図５（ｂ）で示すように第１表示領域２３の表示サイズが表示部２の上半分に縮小される。次に、第２表示領域２５が表示部２の下半分に表示されることで、ユーザはＷｅｂコンテンツの「打者情報」を読むことができる。
【００４１】
このように、ユーザがメインで視聴しているコンテンツに関連性のあるコンテンツを適宜、分割した画面で同時に表示できるため、ユーザが欲している情報をコンテンツ作成者の望みのタイミングで表示することが可能になる。このため、上述した野球中継番組の例に限らず、クイズ番組の回答や音楽番組の歌手情報、あるいは、ニュース速報等様々な場面での適用が考えられる。
【００４２】
なお、図３のフローチャートに示した処理では、受信したリンクデータに基づいて、分割表示を行うことだけを設定したが、分割表示させる際の表示サイズについても、リンクデータに含まれるようにして、その受信したリンクデータで、分割表示させる際の各々のアプリケーション画面の表示サイズを設定してもよい。即ち、例えば図６のフローチャートに示すように、ＣＰＵ１７での連動記述判断処理として、受信したリンクデータに分割表示させるサイズのデータがあるか否か判断する（ステップＳＴ５１）。この判断で、サイズのデータがない場合には、予め規定された標準のサイズ（例えば２つを同じサイズで表示）に各表示領域を設定させる（ステップＳＴ５２）。また、サイズのデータがある場合には、そのデータで指示された表示サイズに各々のアプリケーション画面を設定させる（ステップＳＴ５３）。このようにして、受信したデータに基づいて分割表示のサイズを変更できることで、そのときの表示内容に応じて、適切な分割表示サイズを設定できる。
【００４３】
また、受信したリンクデータに、表示の優先度などの表示時間を規定するデータが含まれている場合には、そのデータに基づいて、分割表示される時間を設定してもよい。即ち、例えば図７のフローチャートに示すように、ＣＰＵ１７での連動記述判断処理として、受信したリンクデータに分割表示させる時間などに関するデータがあるか否か判断する（ステップＳＴ６１）。この判断で、表示時間に関するデータがある場合には、分割表示を終了させるタイマをスタートさせ、そのタイマのカウント時間を受信した時間などのデータに基づいて設定させる（ステップＳＴ６２）。そして、このタイマがカウントアップした時点で、分割表示を終了させて、一方をバックグラウンドに待機させる状態に戻す。表示時間に関するデータがない場合には、自動的な分割表示の終了処理は行わない。このようにして、自動的に分割表示を終了させることができることで、そのときの表示内容に応じて、適切な分割表示時間を設定できる。
【００４４】
また、分割表示が行われた状態で、分割表示から１つのアプリケーションによる画面の全面表示に切替えさせるリンクデータを受信した場合に、分割表示を終了させて、一方をバックグラウンドに待機させる状態に戻すようにしてもよい。或いはまた、あるサイズで分割表示が行われた状態で、分割表示サイズを変更させるリンクデータを受信した場合に、２つのアプリケーションによる画面の表示領域のサイズの割合を変更してもよい。
【００４５】
なお、上述した実施の形態では、テレビ視聴アプリケーションとＷｅｂアプリケーションを組み合わせた例を挙げて説明したが、これに限定されるものでなく、例えば電子メールの送受信が可能なメーラを用いてメールマガジン等を表示させてもよいし、テレビ電話アプリケーション等の様々なアプリケーションプログラムを用いてもよい。また、Ｗｅｂアプリケーションで受信したＷｅｂ画面と電子メール受信用のアプリケーションで受信したメール画面との表示切替えを行う場合に適用してもよく、その他の異なる種類のアプリケーションプログラムを組み合わせてもよい。
【００４６】
また、上述した実施の形態では、携帯電話端末を用いた例を挙げて説明したが、これに限定されるものではなく、その他の携帯端末装置でもよく、例えばテレビチューナとメールやＷｅｂの受信機能を備えたＰＤＡ（Personal Digital Assistants）等の携帯型情報端末を用いて、同様の処理を行うようにしてもよい。
【図面の簡単な説明】
【００４７】
【図１】本発明の一実施の形態における携帯電話端末の外観形状の例を示した平面図である。
【図２】本発明の一実施の形態における携帯電話端末の内部構成例を示したブロック図である。
【図３】本発明の一実施の形態におけるコンテンツ切替えの処理例を示したフローチャートである。
【図４】本発明の一実施の形態におけるアプリケーション連動ソースの記述例を示した説明図である。
【図５】本発明の一実施の形態における携帯電話端末の画面遷移の表示例を示した説明図である。
【図６】本発明の一実施の形態における表示サイズの設定処理例を示したフローチャートである。
【図７】本発明の一実施の形態における表示時間の設定処理例を示したフローチャートである。
【符号の説明】
【００４８】
１…スピーカ、２…表示部、３…キー操作部、４…マイクロフォン、５…上部筐体、６…ヒンジ部、７…下部筐体、１１…アンテナ、１２…送受信部、１３…データ処理部、１４…音声処理部、１５…テレビアンテナ、１６…テレビチューナ、１７…ＣＰＵ、１８…メモリ、１９…システムバス、２０…ピクト表示領域、２１…電池アイコン、２２…アンテナアイコン、２３…第１表示領域、２４…全画面表示領域、２５…第２表示領域、２７…左操作アイコン、２８…右操作アイコン、１００…携帯電話端末
【図１】
2006115213.tif 000003
【図２】
2006115213.tif 000004
【図３】
2006115213.tif 000005
【図４】
2006115213.tif 000006
【図５】
2006115213.tif 000007
【図６】
2006115213.tif 000008
【図７】
2006115213.tif 000009